(57)【要約】【課題】    乗客の顔を確実に撮影し、事件発生時に人物の特定を可能にし、同時に犯罪抑止効果を高めることにある。【解決手段】  エレベータかご内を撮影する人物撮影用カメラ２と、この人物撮影用カメラで撮影された映像を記録する記録装置３と、かご内の映像を表示する表示機４とを有し、この表示機内または当該表示機付近に前記人物撮影用カメラを設置し、するエレベータ用防犯カメラシステムにおいて、  前記表示機内部もしくは表示機付近に前記人物撮影用カメラを設置し、表示機に表示される映像を見ている乗客の少なくとも顔画像を人物撮影用カメラで撮影し、確実に人物の特定を可能とするエレベータ用防犯カメラシステムである。【選択図】      図１
2005047689.tif 000002
【特許請求の範囲】
【請求項１】
エレベータかご内を撮影する人物撮影用カメラと、この人物撮影用カメラで撮影された映像を記録する記録装置と、前記かご内の映像を表示する表示機とを有するエレベータ用防犯カメラシステムにおいて、
前記表示機内部もしくは表示機付近に前記人物撮影用カメラを設置し、当該表示機に表示される映像を見ている乗客の少なくとも顔画像を撮影することを特徴とするエレベータ用防犯カメラシステム。
【請求項２】
請求項１に記載のエレベータ用防犯カメラシステムにおいて、
前記人物撮影用カメラで撮影された乗客の顔画像を前記表示機に表示することを特徴とするエレベータ用防犯カメラシステム。
【請求項３】
請求項１又は請求項２に記載のエレベータ用防犯カメラシステムにおいて、
前記顔画像を撮影する人物撮影用カメラの撮影画角は、前記表示機の視野角とほぼ等しいか又は当該視野角よりも所定範囲以下までに設定することを特徴とするエレベータ用防犯カメラシステム。
【請求項４】
請求項１ないし請求項３の何れか一項に記載のエレベータ用防犯カメラシステムにおいて、
前記人物撮影用カメラが乗客の静止画の顔画像を撮影する場合、かご操作盤のドア閉ボタン又は行先階登録ボタンが押されたとき、又は当該ボタンが押されて所定時間後に前記人物撮影用カメラで前記乗客の顔画像を撮影し、この撮影された乗客の顔画像を、前記記録装置に記録し、また前記表示機に表示することを特徴とするエレベータ用防犯カメラシステム。
【請求項５】
請求項１ないし請求項４の何れか一項に記載のエレベータ用防犯カメラシステムにおいて、
前記顔画像を撮影する人物撮影用カメラ付近に発光手段を配置したことを特徴とするエレベータ用防犯カメラシステム。
【請求項６】
請求項１ないし請求項４の何れか一項に記載のエレベータ用防犯カメラシステムにおいて、
前記顔画像を撮影する人物撮影用カメラ付近に音声発生手段を配置したことを特徴とするエレベータ用防犯カメラシステム。
【請求項７】
前記人物撮影用カメラで撮影された顔画像を、有線または無線によって前記記録装置、前記表示機に伝送し、当該記録装置、表示機を乗りかご以外の場所に設置可能とすることを特徴とするエレベータ用防犯カメラシステム。
【請求項８】
請求項１ないし請求項７の何れか一項に記載のエレベータ用防犯カメラシステムにおいて、
前記エレベータかご内の広範囲の状況を撮影する広域撮影用カメラと、この広域撮影用カメラ及び前記人物撮影用カメラでそれぞれ撮影されたかご内広範囲映像と顔画像とを同一のメモリ上にそれぞれ所要の表示領域サイズで記憶し分割画像を作成する画面分割処理手段とをさらに設け、この分割画像を、前記記録装置に記録し、また前記表示機に表示することを特徴とするエレベータ用防犯カメラシステム。
【請求項９】
請求項１ないし請求項７の何れか一項に記載のエレベータ用防犯カメラシステムにおいて、
前記エレベータかご内の広範囲の状況を撮影する広域撮影用カメラと、この広域撮影用カメラ及び前記人物撮影用カメラでそれぞれ撮影された広範囲映像と顔画像とを交互に選択出力する映像切換手段とをさらに設け、この映像切換手段から出力される前記広範囲映像、顔画像を、前記記録装置に記録し、また前記表示機に表示することを特徴とするエレベータ用防犯カメラシステム。
【請求項１０】
請求項１ないし請求項７の何れか一項に記載のエレベータ用防犯カメラシステムにおいて、
前記エレベータかご内の広範囲の状況を撮影する広域撮影用カメラと、この広域撮影用カメラ及び前記人物撮影用カメラでそれぞれ撮影されたかご内広範囲映像と顔画像とをそのまま出力する他、これらかご内広範囲映像と顔画像とを予め定める表示領域サイズで同一画面上に分割記憶した分割映像を作成し出力する映像分割処理手段と、この映像分割処理手段から出力される各映像を予め定めるスケジュールに従って選択出力する映像切換手段とを設け、
この映像切換手段から出力される映像を、前記記録装置に記録し、また前記表示機に表示することを特徴とするエレベータ用防犯カメラシステム。
【請求項１１】
請求項８ないし請求項１０の何れか一項に記載のエレベータ用防犯カメラシステムにおいて、
前記広域撮影用カメラで撮影された映像から乗客が予め定める範囲の人数であると判断した場合、前記人物撮影用カメラを動作させるカメラ駆動判断手段をさらに設けたことを特徴とするエレベータ用防犯カメラシステム。
【発明の詳細な説明】
【技術分野】
【０００１】
本発明は、エレベータかご内の防犯映像を撮影するエレベータ用防犯カメラシステムに関する。
【背景技術】
【０００２】
従来、乗りかご内にカメラが取付けられ、また乗りかご上部にハードディスクなどの記録装置が設置され、カメラで撮影されたかご内の映像を記録装置に記録し、また、乗りかご内に表示機を取付け、カメラで撮影された映像を記録装置に記録し、また表示機に表示することにより、乗りかご内における犯罪抑止効果を図っている。
【０００３】
なお、乗りかご内に設置されるカメラは、防犯映像を撮影する用途からかご内を広範囲に撮影することが求められており、通常、エレベータ操作盤や乗りかご内の天井、側板等に設置されている。また、カメラは、撮影された人物が重ならないためにも、乗客の身長よりも高い位置に設置し、かご内の状況を撮影している。
【０００４】
従って、以上述べたように、カメラは、かご内を広域的、かつ撮影する人物が重ならないように配慮し、犯行状況を確実に撮影する方策が講じられている。
【発明の開示】
【発明が解決しようとする課題】
【０００５】
ところで、以上のような設置形態を採用したカメラは、広角撮影を行うために広角レンズなどを用いているが、この広角レンズの特性上、被写体となる乗客自身が小さく写ってしまい、人物の特徴が捉え難くなってしまう。また、カメラは、通常高い位置に設置されているので、上部からの撮影となり、乗客の頭部が撮影される割合が多くなり、乗客の顔が撮影できないことが多い。また、乗客がうつむいたり、帽子をかぶった場合にも、全く顔が写らないことも多々ある。
【０００６】
このように乗客の顔が写らないな問題は、単に撮影カメラの設置位置、高さ、角度を変えるだけでは解決できない。従って、通常のカメラ撮影の場合には、人物の顔を確実に撮影することが困難であり、ひいては事件発生時に人物の特定が難しくなる。また、仮に人物の特定が難しい映像をかご内の表示機に表示したとしても、乗客自身がカメラで監視されているという意識が半減し、逆に犯罪抑止効果を低下させることも考えられる。
【０００７】
本発明は上記事情に鑑みてなされたもので、乗客の顔を確実に撮影し、事件発生時に人物の特定を可能にし、犯罪抑止効果を高めるエレベータ用防犯カメラシステムを提供することを目的とする。
【課題を解決するための手段】
【０００８】
（１）  上記課題を解決するために、本発明は、エレベータかご内を撮影する人物撮影用カメラと、この人物撮影用カメラで撮影された映像を記録する記録装置と、前記かご内の映像を表示する表示機とを有するエレベータ用防犯カメラシステムにおいて、
前記表示機内部もしくは表示機付近に前記人物撮影用カメラを設置し、当該表示機に表示される映像を見ている乗客の少なくとも顔画像を撮影する構成である。
【０００９】
この発明は以上のような構成とすることにより、通常、乗客がかご内に乗り込んだ場合、表示機の映像を見ようと向きを変えるので、表示機内部もしくは表示機付近に人物撮影用カメラを設置すれば、乗客の顔を含む画像を容易に撮影することが可能となる。
【００１０】
なお、人物撮影用カメラで撮影された乗客の顔画像を表示機に表示するようにすれば、自身の顔画像を含む映像が表示されているので、警戒感が高まり、犯罪抑止効果を高めることが可能である。
【００１１】
また、顔画像を撮影する人物撮影用カメラの撮影画角としては、表示機の視野角とほぼ同等又はその視野角よりも所定範囲以下の画角に設定すれば、例えば液晶表示機を用いた場合に乗客が視野角内に入って表示映像を見ようとするので、より鮮明に乗客の顔画像を撮影することができる。
【００１２】
さらに、人物撮影用カメラは、乗客の動画像でなく、静止画の顔画像を撮影する場合、かご操作盤のドア閉ボタン又は行先階登録ボタンが押されたとき、又は当該登録ボタンが押されて所定時間後に人物撮影用カメラのシャッターを切るようにすれば、乗客の顔画像を的確に撮影し、記録装置に確実に記録でき、また表示機に表示することが可能である。
【００１３】
さらに、顔画像を撮影する人物撮影用カメラ付近に発光手段又は音声発生手段を配置すれば、これら手段による発光又は音声に興味を引かれて乗客が振り向くので、より効果的に乗客の顔画像を撮影することが可能となる。
【００１４】
さらに、人物撮影用カメラで撮影された顔画像を、有線または無線によって記録装置や表示機に伝送する構成とすれば、記録装置や表示機を乗りかご以外の場所，例えば乗場や管理人室に設置し、人物撮影用カメラで撮影された顔画像を記録し、表示することが可能である。
【００１５】
（２）  また、本発明は、エレベータかご内を撮影する人物撮影用カメラと、この人物撮影用カメラで撮影された映像を記録する記録装置と、前記かご内の映像を表示する表示機とを有するエレベータ用防犯カメラシステムにおいて、
前記表示機内部もしくは表示機付近に設置され、表示機に表示される映像を見ている乗客の少なくとも顔画像を撮影する前記人物撮影用カメラと、エレベータかご内の広範囲の状況を撮影する広域撮影用カメラと、この広域撮影用カメラ及び前記人物撮影用カメラでそれぞれ撮影されたかご内広範囲映像と顔画像とを同一のメモリ上にそれぞれ所要の表示領域サイズで記憶し合成画像を作成する画面分割手段とを設ければ、前述する（１）と同様の作用効果を奏する他、広範囲映像と顔画像との合成画像を同時に記録装置に記録し、また表示機に表示することが可能である。
【００１６】
（３）  また、本発明は、エレベータかご内を撮影する人物撮影用カメラと、この人物撮影用カメラで撮影された映像を記録する記録装置と、前記かご内の映像を表示する表示機とを有するエレベータ用防犯カメラシステムにおいて、
前記表示機内部もしくは表示機付近に設置され、表示機に表示される映像を見ている乗客の少なくとも顔画像を撮影する前記人物撮影用カメラと、エレベータかご内の広範囲の状況を撮影する広域撮影用カメラと、この広域撮影用カメラ及び前記人物撮影用カメラでそれぞれ撮影された広範囲映像と顔画像とを交互に選択し出力する映像選択手段とを設けることにより、広範囲映像と顔画像とを交互に記録装置に記録し、また表示機に表示するので、特に広範囲映像から犯罪発生の状況を把握でき、かつ、犯罪発生の状況と関連付けて顔画像から特定の人物を特定することが可能となる。
【００１７】
なお、広域撮影用カメラで撮影された映像から乗客が所要数の人数であると判断された場合、人物撮影用カメラを駆動するカメラ駆動判断手段を設ければ、犯罪発生の可能性が高い場合だけ人物撮影用カメラを駆動させることができる。
【発明の効果】
【００１８】
本発明は、乗りかごに乗り込んだ乗客に対し、注意又は興味を引く状況を作り出し、当該乗客が顔を上げて向き合った時に人物撮影用カメラで撮影し、表示機に表示することにより、乗客の顔を確実に撮影でき、事件発生時に人物の特定が容易であり、十分な犯罪抑止効果を高めることができるエレベータ用防犯カメラシステムを提供できる。
【発明を実施するための最良の形態】
【００１９】
以下、本発明の実施の形態について図面を参照して説明する。
【００２０】
図１は本発明に係るエレベータ用防犯カメラシステムの一実施の形態を示す構成図である。
【００２１】
この防犯カメラシステムは、乗りかご１内の状況を撮影するカメラ（以下、人物撮影用カメラと呼ぶ）２と、乗りかご１上部に設置され、人物撮影用カメラ２で撮影された映像を記録する例えばハードディスクレコーダなどの記録装置３と、人物撮影用カメラ２で撮影された映像を直接表示し、又は記録装置３に記録された映像情報を読み出して表示する表示機４とによって構成されている。図中、５，６は乗りかご１内の乗客、７はかごドアである。
【００２２】
前記人物撮影用カメラ２は、例えば撮像管やＣＣＤ、ＣＭＯＳなどの固体撮像デバイス等の撮像素子などを用いたビデオ、デジタルの動画像又は静止画像を撮影するカメラが用いられるが、以下、動画像を撮影するカメラを前提に説明する。
【００２３】
この人物撮影用カメラ２は、表示機４内部又は表示機４付近に設置するものとする。表示機４内に人物撮影用カメラ２を内蔵する場合、表示機４内にカメラ２が取付けられていることを極力認識させるように取付ける方法もあるが、外部から直接人物撮影用カメラ２と判断されると防犯上好ましくない場合には、表示機４自体の形状、色などに合せ、かつ撮影上支障をきたさない材料で覆うように取付けるものとする。また、表示機４付近に人物撮影用カメラ２を設置する例としては、例えば表示機上部や側部に取付けるとか、或いは表示機４に比較的近い個所の側板などに埋め込んで撮影上支障をきたさない材料で覆うようにすれば、外部から直接人物撮影用カメラ２と容易に判断され難い。勿論、犯罪抑止効果を上げるためには、人物撮影用カメラ２が取付けられていることを積極的に認識させることも重要である。
【００２４】
なお、表示機４内部又は表示機４付近に人物撮影用カメラ２を設置した理由は、次の通りである。
【００２５】
通常、乗客が乗りかご内で最も注意を引く個所は、行き先階登録ボタン等の操作盤や行き先階等を表示する行き先階表示機等であると考えられるが、乗りかご内の犯罪発生を考えた場合、先ず、かごドア７が開いている状態では犯罪は行われず、行き先階登録を含む一連の操作が終了した後に発生すること。そして、一連の操作が終了した後に最も注意を引くのは何かと言えば、表示機４に表示される映像に注意を向けることが多いこと。しかも、犯罪時はともかく、犯罪の前後には表示機４の映像を見るために当該表示機４の方向に顔を向けて映像を確認することが予想される。従って、乗客の以上のような心理状況を踏まえ、表示機４内部又は表示機４付近に人物撮影用カメラ２を設置すれば、乗客の顔画像を的確に撮影できると考えた為である。
【００２６】
前記表示機４としては、ＣＲＴディスプレイ、プラズマディスプレイ、液晶ディスプレイ等が使用されるが、好ましくは液晶ディスプレイを使用する。その理由は、液晶ディスプレイは、性能上、視野角が限定されており、映像を見ることができる範囲がある程度制限される。その結果、乗客が液晶画面の映像を見る場合、かご内の映像の見やすい位置に移動するものと考えられる。このため、顔画像を撮影する人物撮影用カメラ２の撮影画角は液晶視野角とほぼ等しくしておけば、表示機４の映像を見ることができる範囲に入っている乗客を必ず撮影することができる。
【００２７】
また、人物を大きく撮影することを重視する場合、カメラ画角を液晶視野角よりも所定範囲以下まで設定しておけば、必要以上に広角撮影せずにすみ、撮影対象が小さくなることがなく、人物を大きく撮影でき、撮影画像から人物の特定が比較的容易である。ここで、所定範囲とは、少なくとも１人の乗客を撮影可能な範囲の画角を意味する。
【００２８】
次に、以上のようなエレベータ用防犯カメラシステムの動作について説明する。
【００２９】
通常、乗客は、乗りかご１内に乗り込んでかごドア７が閉じた後、もしくはかごドア７が閉じた後に行き先階登録ボタンを操作した後、表示機４に表示される映像を意識し、当該映像を見ようとして目線を表示機４の方向に向けた際、表示機４内又は表示機４付近に設置されている人物撮影用カメラ２が乗客５，６の顔画像を撮影する。この撮影された乗客５，６の顔画像は、乗りかご１上部に設置される記録装置３に記録され、また同時に表示機４にも表示される。
【００３０】
図２は乗りかご内を上方向から見た図である。
【００３１】
液晶ディスプレイ等の表示機４では、前述したように、表示機４の視野角１０が限定されていることから、乗客６が表示機４の視野角１０外の映像が見にくい位置に居る場合、図示矢印（イ）方向，つまり表示機４の視野角１０に入る方向に移動する。このとき、人物撮影用カメラ２は、例えば表示機４の視野角１０とほぼ等しい画角に設定しておけば、画角内に収まった状態で乗客５，６の顔画像を撮影することができる。よって、人物撮影用カメラ２で撮影された顔画像は表示機４に映し出すことができるだけでなく、記録装置３にも鮮明に記録することができ、しかも記録装置３に内蔵する時計により時刻とともに顔画像を記録するこができる。
【００３２】
従って、以上のような実施の形態によれば、表示機４内又は表示機４近傍に人物撮影用カメラ２を設置することにより、乗客が乗りかご１に乗り込んでかご操作盤の必要なボタン操作が終了した後、表示機４に注意を向けて映像を見るために例えば目線を表示機４に向けるとか、或いは映像の見やすい位置に移動して表示機４に目を向けるので、人物撮影用カメラ２で乗客の正面からの顔画像を確実に撮影することができる。しかも、人物撮影用カメラ２は表示機４とほぼ等しい視野角をもつ画角に設定すれば、表示機４を見ている人、つまり撮影対象者にほぼ限定して撮影することができる。このことは、カメラの通常の広角撮影と比較し、人物を大きく撮影でき、人物を特定する場合に非常に有利となる。
【００３３】
さらに、人物撮影用カメラ２で撮影された顔画像を表示機４に表示するので、その表示機４の視野角１０内に入っている自身の映像を見ることにより、乗客による犯罪抑止効果を大きく高めることができる。
【００３４】
なお、上記実施の形態では、人物撮影用カメラ２で撮影された映像を表示機４に表示するようにしたが、例えば外部機器からの映像や一般的なオリジナル映像を記録し、任意に再生可能な機能をもった記録装置３を用いれば、表示機４には人物撮影用カメラ２で撮影された映像と記録装置３に予め記録されている一般的なオリジナル映像等とを任意選択的に表示機４に表示することができる。
【００３５】
また、常時、人物撮影用カメラ２を駆動し、その撮影された動画像又は静止画を表示機４に表示することも考えられるが、静止画像を撮影するシャッター付き人物撮影用カメラ２を用いた場合には乗りかご１のかご操作盤のかご閉じボタンや行き先階登録ボタンを押した時又はこれらボタンを押した後所要とする時間経過後にシャッターを切って人物撮影用カメラ２を動作し、かご内の乗客を撮影することも考えられる。
【００３６】
図３は本発明に係るエレベータ用防犯カメラシステムの他の実施の形態を示す構成図である。なお、同図において図１と同一又は等価な部分には同一の符号を付し、その詳しい説明は図１に譲る。
【００３７】
この実施の形態は、乗客５，６の意識をより撮影カメラ２側に向けさせつつ撮影する例である。
【００３８】
この防犯カメラシステムは、乗りかご１内の状況を撮影する人物撮影用カメラ２と、乗りかご１上部に設置され、撮影カメラ２で撮影された映像を記録する例えばハードディスクレコーダなどの記録装置３と、人物撮影用カメラ２で撮影された映像を直接表示し、又は記録装置３に記録される映像情報を読み出して表示する表示機４とによって構成されている点は図１と同様である。また、表示機４内又は表示機４付近に人物撮影用カメラ２を設置する点も図１と同様である。
【００３９】
このシステムにおいて、特に異なるところは、人物撮影用カメラ２付近にイルミネーションライトなどの発光手段１１を設けることにある。
【００４０】
このように人物撮影用カメラ２付近にイルミネーションライトなどの発光手段１１を設ければ、乗客がイルミネーションライト光に興味を引き、乗客の顔が発光手段１１の設置方向，つまり撮影カメラ２の方向に向くので、乗客の顔画像を比較的容易に撮影することができる。
【００４１】
なお、乗客の興味を引かせる手段としては、イルミネーションライトなどの発光手段１１を設けたが、人体の五感を刺激する手段であれば何でもよく、例えば人物撮影用カメラ２近傍にに音声アナウンス、ＢＧＭ（バックグラウンド・ミュージック）、効果音などを発生させる音声発生手段を設置し、乗客に興味を引かせて、乗客の顔を人物撮影用カメラ２の方向に向かせるようにしてもよい。
【００４２】
なお、これら発光手段１１や音声発生手段を動作させるタイミングは、かご操作盤のかご閉じボタン又は行き先階登録ボタンを押した時又はそのボタンを押した後所要時間経過後に駆動すれば、省エネ化とともに、乗客にタイミングよく興味を引かせて人物撮影用カメラ２の方向に向かせることが可能である。
【００４３】
図４は本発明に係るエレベータ用防犯カメラシステムのさらに他の実施の形態を説明する構成図である。なお、同図において図１と同一又は等価な部分には同一の符号を付し、その詳しい説明は図１に譲る。
【００４４】
この実施の形態は、同一画面上に異なる複数の映像を分割記憶し、表示機４に表示する例である。
【００４５】
この防犯カメラシステムは、人物撮影用カメラ２と、記録装置３と、表示機４とが設置され、当該表示機４内又は表示機４付近に人物撮影用カメラ２が設置されている点は図１と同様である。
【００４６】
この防犯カメラシステムにおいて、特に異なるところは、人物撮影用カメラ２とは別に、かご内天井、側板又はかご操作盤内に設置され、エレベータかご内の広域の状況，例えば乗客の様子、位置関係、乗客の動作状態など、かご内の全体状況を撮影する広域撮影用カメラ２１と、所定周期ごとに広域撮影用カメラ２１と人物撮影用カメラ２とでそれぞれ撮影されたかご内広範囲映像と乗客の顔画像とを取り込み、これら映像を構成する画素の間引き処理によって予め定める表示領域サイズの映像まで圧縮し、画像メモリないしフレームメモリ２２の同一画面上に分割記憶し分割映像を順次作成する画面分割処理手段としての画面分割処理部２３と、この画面分割処理部２３により作成された分割映像を順次読み出して送信し、記録装置３に書き込み記録可能し、また表示機４に表示させる映像情報伝送部２４とが設けられている。なお、広域撮影用カメラ２１は撮影上影響のないような材料の外装体２５で覆われている。
【００４７】
このような構成によれば、所定時間ごとにかご内広範囲映像及び乗客の顔画像とを同一画面上で分割して記録装置２に記録し、また表示機４に表示するので、かご内広範囲映像からかご内の犯行状況を判断できるとともに、犯行発生時の乗客の顔画像を確実に取得でき、犯罪発生時の人物の特定を容易に行うことができる。
【００４８】
なお、画面分割処理部２３による画面分割機能を記録装置２内部に設け、画面分割機能によって同一画面上で分割されたかご内広範囲映像と乗客の顔画像とを記録し、同時に表示機４に表示するようにしてもよい。
【００４９】
また、画面分割処理部２３による分割映像の作成方法としては、一方の映像，例えばかご内広範囲映像をベースとして画像メモリ２２に書き込んだ後、予め定める表示領域サイズのウインドウ領域を形成し、そのウインドウ領域内に乗客の顔画像を上書きし、表示機４に顔画像をウインドウ表示する場合も含むものである。
【００５０】
次に、図５は本発明に係るエレベータ用防犯カメラシステムのさらに他の実施の形態を説明する構成図である。なお、同図において図１と同一又は等価な部分には同一の符号を付し、その詳しい説明は図１に譲る。
【００５１】
この実施の形態は、異なる複数の映像を取得し、かご内犯罪による状況把握を的確に行う例である。
【００５２】
この防犯カメラシステムは、人物撮影用カメラ２と、記録装置３と、表示機４とが設置され、当該表示機４内又は表示機４付近に人物撮影用カメラ２が設置されている点は図１と同様である。
【００５３】
この実施の形態は、異なる複数の映像を交互に分配し表示機に表示する例である。
【００５４】
このカメラシステムは、人物撮影用カメラ２とは別に、かご内天井、側板又はかご操作盤内に設置され、エレベータかご内の全体状況を撮影する広域撮影用カメラ２１と、広域撮影用カメラ２１と人物撮影用カメラ２でそれぞれ撮影されたかご内広範囲映像と乗客の顔画像とを所定周期ごとに交互に選択出力する映像切換部２６とを設け、この映像切換部２６で選択出力されたかご内広範囲映像と乗客の顔画像とを交互に記録装置２に記録し、また表示機４に表示する構成である。
【００５５】
このような構成によれば、かご内広範囲映像と乗客の顔画像とを交互に記録装置３に記録し、表示機４に表示するので、図４と同様な作用効果を奏するものである。
【００５６】
なお、映像切換部２６による映像切換機能を記録装置３内にもたせた構成であってもよい。
【００５７】
図６は本発明に係るエレベータ用防犯カメラシステムのさらに他の実施の形態を説明する構成図である。なお、同図において図１と同一又は等価な部分には同一の符号を付し、その詳しい説明は図１に譲る。
【００５８】
この実施の形態は、かご内広範囲映像と乗客の顔画像と分割映像とを適宜選択的に出力し、表示機４に表示する例である。
【００５９】
このカメラシステムは、人物撮影用カメラ２とは別にエレベータかご内の全体状況を撮影する広域撮影用カメラ２１と、広域撮影用カメラ２１と人物撮影用カメラ２でそれぞれ撮影されたかご内広範囲映像と乗客の顔画像とをスルー出力するとともに、かご内広範囲映像と乗客の顔画像とを取り込み、これら映像を構成する画素の間引き処理によって予め定める表示領域サイズの映像まで圧縮し、同一画面上に分割表示可能な分割映像を作成し出力する画面分割処理手段としての画面分割処理部２３ａと、これらスルー出力されたかご内広範囲映像、乗客の顔画像及び分割映像のうち、予め定めるタイムスケジュールに従って１つのみの映像を限定して出力したり、また交互に選択して出力する映像切換部２６ａとを設け、この映像切換部２６ａから出力される映像を記録装置３に記録し、また表示機４に表示する構成である。
【００６０】
このような構成によれば、例えば比較的乗客の多い時間帯、乗客の少ない時間帯に分けて、映像を選択的に出力でき、しかも多種類の映像を記憶し表示することにより、犯行現場の様子が克明に判断でき、人物の特定もしやすくなる。
【００６１】
なお、以上のような画面分割処理部２３ａ及び映像切換部２６ａ等の機能は記録装置３にハード的又はソフト的にもたせることも容易に実現できる。
【００６２】
（その他の実施の形態）
（１）  前記人物撮影用カメラ２で撮影された顔画像を、有線または無線によって記録装置３、表示機４に何れか一方又は両方に送信するようにすれば、当該記録装置３や表示機４は乗りかご以外の場所，例えば乗場や管理人室などに設置し、映像を記録し、また映像を見ることができる。
【００６３】
（２）  また、上記実施の形態では、人物撮影用カメラ２の動作開始タイミングについて特に規定されていないが、例えば赤外線センサーなどの人感センサーを取付け、乗りかご１内に乗客が乗り込んだことを検知した時、その検知信号を基づいて人物撮影用カメラ２を動作させるようにすれば、乗りかご１内に乗客が乗っていない時、つまり犯行が行われない時には人物撮影用カメラ２による撮影を停止させることができ、省エネ化及び人物撮影用カメラ２の寿命を延長させることができる。
【００６４】
さらに、人物撮影用カメラ２の動作開始タイミングとしては、人物撮影用カメラ２とは別にエレベータかご内の全体状況を撮影する広域撮影用カメラ２１が設置されている場合、このカメラ２１で撮影された映像に基づいて、予め記憶される人物頭部の参照パタンを参照し、乗りかご1内に所定の人数範囲の乗客人数が存在する場合、人物撮影用カメラ２を動作させる構成であってもよい。その理由は、乗客人数が１人の場合には犯行が行われることがなく、また経験的に５人以上で犯行に及ぶこともありえないためである。
【００６５】
その他、本願発明は、上記実施の形態に限定されるものでなく、その要旨を逸脱しない範囲で種々変形して実施できる。
【００６６】
また、各実施の形態は可能な限り組み合わせて実施することが可能であり、その場合には組み合わせによる効果が得られる。さらに、上記各実施の形態には種々の上位，下位段階の発明が含まれており、開示された複数の構成要素の適宜な組み合わせにより種々の発明が抽出され得るものである。例えば問題点を解決するための手段に記載される全構成要件から幾つかの構成要件が省略されうることで発明が抽出された場合には、その抽出された発明を実施する場合には省略部分が周知慣用技術で適宜補われるものである。
【図面の簡単な説明】
【００６７】
【図１】本発明に係るエレベータ用防犯カメラシステムの一実施の形態を示す構成図。
【図２】図1に示す表示機の視野角と人物撮影用カメラの画角との関係を説明する図。
【図３】本発明に係るエレベータ用防犯カメラシステムの他の実施の形態を示す構成図。
【図４】本発明に係るエレベータ用防犯カメラシステムのさらに他の実施の形態を示す構成図。
【図５】本発明に係るエレベータ用防犯カメラシステムのさらに他の実施の形態を示す構成図。
【図６】本発明に係るエレベータ用防犯カメラシステムのさらに他の実施の形態を示す構成図。
【符号の説明】
【００６８】
１…乗りかご、２…人物撮影用カメラ、３…記録装置、４…表示機、５，６…乗客、７…かごドア、１１…発光手段、２１…広域撮影用カメラ、２２…フレームメモリ、画像メモリ、２３，２３ａ…画面分割処理部、２６，２６ａ…映像切換部。
【図１】
2005047689.tif 000003
【図２】
2005047689.tif 000004
【図３】
2005047689.tif 000005
【図４】
2005047689.tif 000006
【図５】
2005047689.tif 000007
【図６】
2005047689.tif 000008